(57)【特許請求の範囲】
【請求項１】
細長い天板の長手方向の両端で裏面に短手方向に亙るように嵌合凹部を設け、移動自在な支持フレームに結合するための結合金具を嵌合凹部の部分に着脱自在に取り付けて成ることを特徴とするテーブル天板。
【請求項２】
ベッドの左右両側にサイドガードを立設し、請求項１のテーブル天板の結合金具を取り外した状態で嵌合凹部をサイドガードの上縁に嵌合して成ることを特徴とするベッドテーブル。
【請求項３】
支持フレームを略アーチ状に形成すると共に支持フレームの下部に移動用のキャスターを装着し、支持フレームの上フレーム上に請求項１のテーブル天板を載置すると共に結合金具を上記上フレームに結合して成ることを特徴とするベッドテーブル。
【請求項４】
支持フレームを略コ字状に形成すると共に支持フレームの下部に移動用のキャスターを装着し、支持フレームの上フレーム上に請求項１のテーブル天板を載置すると共に結合金具を上記上フレームに結合して成ることを特徴とするベッドテーブル。
【発明の詳細な説明】
【０００１】
【発明の属する技術分野】
本発明は病院等のベッドで食事をしたりするとき用いるベッドテーブルのテーブル天板の構造と、このテーブル天板を用いたベッドテーブルの構造に関するものである。
【０００２】
【従来の技術】
従来、病院等のベッドで使用するベッドテーブルとしては代表的な３つのタイプのものがある。第１のタイプとしてはベッドの両側に患者が落下するのを防止するための柵としてサイドガードを立設し、両側のサイドガード間に架け渡すようにテーブル天板を載置するものがある。第２のタイプとしては略アーチ状に形成した支持フレームの下部に移動用のキャスターを設け、支持フレームの上フレームにテーブル天板を載せて固定するものがある。第３のタイプとしては略コ字状に形成した支持フレームの下部にキャスターを設け、支持フレームの上フレームにテーブル天板を載せて固定したものがある。
【０００３】
【発明が解決しようとする課題】
上記従来例のようにベッドテーブルとして代表的な３つのタイプがあり、用途に応じて使い分けているが、３つのタイプのベッドテーブルに対応するためにそれに応じたテーブル天板を用意しなければならなく、コスト的に高く付くという問題がある。
【０００４】
本発明は叙述の点に鑑みてなされたものであって、複数のタイプのベッドテーブルに共通のテーブル天板を用いることができ、コスト的に安価にできるテーブル天板及びそれを用いたベッドテーブルを提供することを課題とする。
【０００５】
【課題を解決するための手段】
上記課題を解決するため本発明の請求項１のテーブル天板Ａは、細長い天板１の長手方向の両端で裏面に短手方向に亙るように嵌合凹部２を設け、移動自在な支持フレーム３，４に結合するための結合金具５を嵌合凹部２の部分に着脱自在に取り付けて成ることを特徴とする。
【０００６】
また本発明の請求項２のベッドテーブルは、ベッド６の左右両側にサイドガード７を立設し、請求項１のテーブル天板Ａの結合金具５を取り外した状態で嵌合凹部２をサイドガード７の上縁に嵌合して成ることを特徴とする。
【０００７】
また本発明の請求項３のベッドテーブルは、支持フレーム３を略アーチ状に形成すると共に支持フレーム３の下部に移動用のキャスター８を装着し、支持フレーム３の上フレーム３ａ上に請求項１のテーブル天板Ａを載置すると共に結合金具５を上記上フレーム３ａに結合して成ることを特徴とする。
【０００８】
また本発明の請求項４のベッドテーブルは、支持フレーム４を略コ字状に形成すると共に支持フレーム４の下部に移動用のキャスター８を装着し、支持フレーム４の上フレーム４ａ上に請求項１のテーブル天板Ａを載置すると共に結合金具５を上記上フレーム４ａに結合して成ることを特徴とする。
【０００９】
上記のように構成したことにより、共通のテーブル天板Ａを用いて請求項２のようなタイプのベッドテーブルも、請求項３のようなタイプのベッドテーブルも、請求項４のようなタイプのベッドテーブルも組み立てることができ、複数のタイプのベッドテーブルにテーブル天板Ａを共用でき、部品点数を少なくしてコストダウンが図れる。
【００１０】
【発明の実施の形態】
本発明のテーブル天板Ａは天板１と補強部材９と結合金具５とで主体が構成されている。天板１は細長い矩形状であり、合成樹脂、合成木材、木材等で形成されている。この天板１の長手方向の両端の端部の裏面には天板１の短手方向に亙るように嵌合凹部２を凹設してある。本例の天板１の場合、合成樹脂の成形品であり、両側の縁部１０に略半円状の切り欠き１１を設けることで天板１の短手方向に亙る嵌合凹部２を凹設してある。また天板１の裏面で嵌合凹部２内には取り付けボス１２を設けてあり、また天板１の裏面で上記嵌合凹部２間の部分にも複数個の取り付けボス１３を設けてある。
【００１１】
補強部材９は例えば金属製であり、角パイプ材を梯子状に枠組みして形成されている。この補強部材９は天板１の裏面に沿わせて配置され、補強部材９に設けた取り付け穴１４から補強部材取り付けねじ１５を取り付けボス１３に螺入することで取り付けてある。また結合金具５は丸パイプ状の嵌合部５ａと矩形板状の取り付け片５ｂとを一体に設けて形成されており、嵌合部５ａには取り付け穴１６が、取り付け片５ｂには取り付け穴１７が穿孔されている。この結合金具５の嵌合部５ａが嵌合凹部２に嵌合され、取り付け穴１６から金具取り付けねじ１８を挿通して取り付けボス１２に螺入することで結合金具５を着脱自在に取り付けてある。またこの結合金具５の取り付け片５ｂの取り付け穴１７にフレーム取り付けねじ１９を挿通して後述する支持フレーム３，４に取り付けることができるようになっている。
【００１２】
上記のようにテーブル天板Ａが構成され、このテーブル天板Ａを用いて次の３つのタイプのベッドテーブルが組み立てられる。図３のタイプのベッドテーブルはベッド６のサイドガード７を脚として組み立てるものである。ベッド６の左右両側にはベッド６の上の使用者が落下しないように防護するための柵状のサイドガード７が立設される。このサイドガード７はベッド６の両側に着脱自在に取り付けられるものである。そしてこの両側のサイドガード７間に架設するようにテーブル天板Ａが取り付けられてベッドテーブルが組み立てられる。このベッドテーブルを組み立てるときはテーブル天板Ａの結合金具５は取り外されており、テーブル天板Ａの両端の嵌合凹部２をサイドガード７の上縁に嵌合するように載設される。このとき嵌合凹部２の裏面にゴム等の滑り止めを設けてあると、嵌合凹部２をサイドガード７の上縁に嵌合するだけでもテーブル天板Ａが滑らないように設置できる。
【００１３】
図４のタイプのベッドテーブルは略アーチ状の支持フレーム３を支持部として組み立てるものである。支持フレーム３は略アーチ状であり、上部の水平な上フレーム３ａと、両側の垂直な側フレーム３ｂと、側フレーム３ｂの下端の脚フレーム３ｃとを有しており、脚フレーム３ｃに移動用のキャスター８を装着してある。この支持フレーム３の上フレーム３ａの上にはテーブル天板Ａが載せられ、結合金具５の取り付け片５ｂが上フレーム３ａの上に載置され、取り付け片５ｂの取り付け穴１７に挿通したフレーム取り付けねじ１９を上フレーム３ａに螺合することで取り付けられる。このように結合金具５を用いてテーブル天板Ａを支持フレーム３に取り付けることによりベッドテーブルを組み立てることができる。図５は図４のタイプのベッドテーブルで支持フレーム３の構造が異なるものである。この場合、側フレーム３ｂが上部の可動フレーム部３ｂ１と下部の固定フレーム部３ｂ２とで構成され、固定フレーム部３ｂ２に対して可動フレーム部３ｂ１を上下にスライド自在にしてあり、適宜の高さで固定具２０にて固定できるようになっている。このようにしてあると、テーブル天板Ａの高さを自在に調整することができる。
【００１４】
図６のタイプのベッドテーブルは略コ字状の支持フレーム４を支持部として組み立てるものである。支持フレーム４は略コ字状であり、上部の水平な上フレーム４ａと、側部の側フレーム４ｂと、下部の水平な下フレーム４ｃと、下フレーム４ｃの端部の脚フレーム４ｄとを有しており、下フレーム４ｃと脚フレーム４ｄに移動用のキャスター８を装着してある。この支持フレーム４の上フレーム４ａの上にはテーブル天板Ａが載せられ、結合金具５の取り付け片５ｂが上フレーム４ａの上に載置され、取り付け片５ｂの取り付け穴１７に挿通したフレーム取り付けねじ１９を上フレーム４ａに螺合することで取り付けられる。このように結合金具５を用いてテーブル天板Ａを支持フレーム４に取り付けることによりベッドテーブルを組み立てることができる。この場合も側フレーム４ｂを上記例のように上下に伸縮自在にすると、テーブル天板Ａの高さを調整することができる。
【００１５】
【発明の効果】
本発明は細長い天板の長手方向の両端で裏面に短手方向に亙るように嵌合凹部を設け、移動自在な支持フレームに結合するための結合金具を嵌合凹部の部分に着脱自在に取り付けてテーブル天板を形成したので、共通のテーブル天板を用いて請求項２のようなタイプのベッドテーブルも、請求項３のようなタイプのベッドテーブルも、請求項４のようなタイプのベッドテーブルも組み立てることができ、複数のタイプのベッドテーブルにテーブル天板を共用でき、部品点数を少なくしてコストダウンが図れるものである。
【図面の簡単な説明】
【図１】本発明の実施の形態の一例のテーブル天板の裏面から見た分解斜視図である。
【図２】同上のテーブル天板の表面から見た斜視図である。
【図３】同上のベッドテーブルの一例を示す分解斜視図である。
【図４】同上のベッドテーブルの他の例を示す斜視図である。
【図５】同上のベッドテーブルの他の例を示す斜視図である。
【図６】同上のベッドテーブルのさらに他の例を示す斜視図である。
【符号の説明】
Ａ  テーブル天板
１  天板
２  嵌合凹部
３  支持フレーム
３ａ  上フレーム
４  支持フレーム
４ａ  上フレーム
５  結合金具
６  ベッド
７  サイドガード
８  キャスター
【図１】
0003680690.tif 000002
【図２】
0003680690.tif 000003
【図３】
0003680690.tif 000004
【図４】
0003680690.tif 000005
【図５】
0003680690.tif 000006
【図６】
0003680690.tif 000007